(57)【要約】【課題】電源を受ける素子に異常電圧が印加されることを防止して損傷しないようにする電源供給部及びそれを用いた有機電界発光表示装置を提供する。【解決手段】本発明は、入力電源Ｖｉｎを受ける入力端、出力電源を出力する出力端、及び駆動を制御するイネーブル信号が入力されるイネーブル端を備えるパワーブロックと、前記入力端とイネーブル端とに入力電源Ｖｉｎを同時に伝達する入力電源部と、前記イネーブル端に伝達される前記入力電源Ｖｉｎの電圧を調整して前記パワーブロックの駆動時点を決定する制御部と、を備える。【選択図】図１
2010205244.tif 000002
【特許請求の範囲】
【請求項１】
入力電源を受ける入力端、出力電源を出力する出力端、及び駆動を制御するイネーブル信号が入力されるイネーブル端を備えるパワーブロックと、
前記入力端とイネーブル端とに入力電源を同時に伝達する入力電源部と、
前記イネーブル端に伝達される前記入力電源の電圧を調整して前記パワーブロックの駆動時点を決定する制御部と、
を備えることを特徴とする電源供給部。
【請求項２】
前記入力電源部は、
前記入力端と前記イネーブル端との間に接続される第１抵抗と、
前記第１抵抗と前記入力端とに第１電極が接続され、基底電源に第２電極が接続されるキャパシタと、
を備えることを特徴とする請求項１に記載の電源供給部。
【請求項３】
前記制御部は、
第１電極が前記イネーブル端に接続され、第２電極が第２抵抗に接続され、ゲートに制御信号が伝達されるトランジスタを備え、前記第２抵抗は、前記トランジスタの第２電極と基底電源との間に接続されることを特徴とする請求項１に記載の電源供給部。
【請求項４】
前記入力電源部は、前記入力端と前記イネーブル端とに前記入力電源を伝達し、前記イネーブル端には、前記入力電源の電圧を低くして入力することを特徴とする請求項１に記載の電源供給部。
【請求項５】
前記制御部は、前記イネーブル端に入力された前記入力電源の電圧を調整して前記パワーブロックの駆動時点を決定することを特徴とする請求項４に記載の電源供給部。
【請求項６】
データ信号及び走査信号を受信して画像を表示する画素部と、
制御信号を生成するタイミング制御部と、
前記画素部に前記データ信号を伝達するデータ駆動部と、
前記画素部に前記走査信号を伝達する走査駆動部と、
前記画素部、前記データ駆動部、及び前記走査駆動部の少なくとも１つに駆動電源を伝達する電源供給部と、を備え、
前記電源供給部は、
入力電源を受ける入力端、出力電源を出力する出力端、及び駆動時点を決定する信号が入力されるイネーブル端を備えるパワーブロックと、
前記入力端とイネーブル端とに入力電源を同時に伝達する入力電源部と、
前記制御信号に対応して前記イネーブル端に伝達される前記入力電源の電圧を調整することにより、前記パワーブロックの駆動時点を決定する制御部と、
を備えることを特徴とする有機電界発光表示装置。
【請求項７】
前記入力電源部は、
前記入力端と前記イネーブル端との間に接続される第１抵抗と、
前記第１抵抗と前記入力端とに第１電極が接続され、基底電源に第２電極が接続されるキャパシタと、
を備えることを特徴とする請求項６に記載の有機電界発光表示装置。
【請求項８】
前記制御部は、
第１電極が前記イネーブル端に接続され、第２電極が第２抵抗に接続され、ゲートに制御信号が伝達されるトランジスタを備え、前記第２抵抗は、前記トランジスタの第２電極と基底電源との間に接続されることを特徴とする請求項６に記載の有機電界発光表示装置。
【請求項９】
前記入力電源部は、前記入力端と前記イネーブル端とに前記入力電源を伝達し、前記イネーブル端には、前記入力電源の電圧を低くして入力することを特徴とする請求項６に記載の有機電界発光表示装置。
【請求項１０】
前記制御部は、前記イネーブル端に入力された前記入力電源の電圧を調整して前記パワーブロックの駆動時点を決定することを特徴とする請求項９に記載の有機電界発光表示装置。
【請求項１１】
入力電源を入力端とイネーブル端とに同時に伝達し、前記イネーブル端に伝達される前記入力電源の電圧によってパワーブロックが駆動停止するステップと、
制御信号を伝達し、前記イネーブル端に入力される電圧を調整して前記パワーブロックが駆動するステップと、
前記パワーブロックから出力される出力電圧を用いて駆動開始するステップと、
を含むことを特徴とする有機電界発光表示装置の駆動方法。
【請求項１２】
前記イネーブル端に入力される電圧は、スイッチング動作によって電圧を分配して調整されることを特徴とする請求項１１に記載の有機電界発光表示装置の駆動方法。
【発明の詳細な説明】
【技術分野】
【０００１】
本発明は、電源供給部及びそれを用いた有機電界発光表示装置に関し、より詳細には、電源供給部から出力される出力電圧を安定化させることにより、素子が損傷することを防止する電源供給部及びそれを用いた有機電界発光表示装置に関する。
【背景技術】
【０００２】
近年、陰極線管（Ｃａｔｈｏｄｅ  Ｒａｙ  Ｔｕｂｅ）の短所である重量及び体積を減らすことが可能な各種平板表示装置が開発されている。平板表示装置には、液晶表示装置（Ｌｉｑｕｉｄ  Ｃｒｙｓｔａｌ  Ｄｉｓｐｌａｙ  Ｄｅｖｉｃｅ）、電界放出表示装置（Ｆｉｅｌｄ  Ｅｍｉｓｓｉｏｎ  Ｄｉｓｐｌａｙ  Ｄｅｖｉｃｅ）、プラズマ表示パネル（Ｐｌａｓｍａ  Ｄｉｓｐｌａｙ  Ｐａｎｅｌ）、及び有機電界発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）などがある。
【０００３】
平板表示装置のうち、有機電界発光表示装置は、電流の流れに対応して発生する電子と正孔との再結合により光を発生する有機発光ダイオード（Ｏｒｇａｎｉｃ  Ｌｉｇｈｔ  Ｅｍｉｔｔｉｎｇ  Ｄｉｏｄｅ：ＯＬＥＤ）を用いて画像を表示する。また、有機発光ダイオードは、発光層が有機物で形成されている。
【０００４】
前記有機電界発光表示装置は、優れた色再現性や薄い厚さなどの様々な利点により、応用分野において、携帯電話用のほか、ＰＤＡ、ＭＰ３プレーヤーなどに市場が大きく拡大している。
【０００５】
このような有機電界発光表示装置は、電源供給部から入力電源を受けて動作する。このとき、電源供給部は、入力電源と、電源供給部の動作を決定するイネーブル信号とを受けて動作するが、入力電源は、駆動初期において、直ちに電源供給部に伝達されるのに対し、イネーブル信号は、タイミングコントローラを介して伝達される。したがって、タイミングコントローラが動作した後にイネーブル信号が電源供給部に伝達されるため、イネーブル信号は、入力電源が伝達された後に時間差をおいて電源供給部に伝達される。
【０００６】
前記時間差によって電源供給部が誤動作を起こし、電源供給部で正常動作する前に出力電源の電圧が出力され、出力電源の電圧が急激に上昇する場合が発生する。
【０００７】
このように出力電源の電圧が急激に上昇すると、電源供給部を介して電圧が供給される素子が損傷するという問題がある。
【先行技術文献】
【特許文献】
【０００８】
【特許文献１】大韓民国特許出願公開第２００８−００１０５８１号明細書
【特許文献２】大韓民国特許出願公開第２００６−００８０２７２号明細書
【発明の概要】
【発明が解決しようとする課題】
【０００９】
本発明の目的は、電源を受ける素子に異常電圧が印加されることを防止して損傷しないようにする電源供給部及びそれを用いた有機電界発光表示装置を提供することである。
【課題を解決するための手段】
【００１０】
上記の目的を達成するために、本発明の第１態様は、入力電源を受ける入力端、出力電源を出力する出力端、及び駆動を制御するイネーブル信号が入力されるイネーブル端を備えるパワーブロックと、前記入力端とイネーブル端とに入力電源を同時に伝達する入力電源部と、前記イネーブル端に伝達される前記入力電源の電圧を調整して前記パワーブロックの駆動時点を決定する制御部と、を備える電源供給部を提供するものである。
【００１１】
上記の目的を達成するために、本発明の第２態様は、データ信号及び走査信号を受信して画像を表示する画素部と、制御信号を生成するタイミング制御部と、前記画素部に前記データ信号を伝達するデータ駆動部と、前記画素部に前記走査信号を伝達する走査駆動部と、前記画素部、前記データ駆動部、及び前記走査駆動部の少なくとも１つに駆動電源を伝達する電源供給部と、を備え、前記電源供給部は、入力電源を受ける入力端、出力電源を出力する出力端、及び駆動時点を決定する信号が入力されるイネーブル端を備えるパワーブロックと、前記入力端とイネーブル端とに入力電源を同時に伝達する入力電源部と、前記制御信号に対応して前記イネーブル端に伝達される前記入力電源の電圧を調整することにより、前記パワーブロックの駆動時点を決定する制御部と、を備える有機電界発光表示装置を提供するものである。
【００１２】
上記の目的を達成するために、本発明の第３態様は、入力電源を入力端とイネーブル端とに同時に伝達し、前記イネーブル端に伝達される前記入力電源の電圧によってパワーブロックが駆動停止するステップと、制御信号を伝達し、前記イネーブル端に入力される電圧を調整して前記パワーブロックが駆動するステップと、前記パワーブロックから出力される出力電圧を用いて駆動開始するステップと、を含む有機電界発光表示装置の駆動方法を提供するものである。
【発明の効果】
【００１３】
本発明に係る電源供給部及びそれを用いた有機電界発光表示装置によれば、電源供給部から出力電源の電圧を安定的に出力することにより、有機電界発光表示装置において、出力電源を受けて駆動する素子が損傷することを防止することができる。
【図面の簡単な説明】
【００１４】
【図１】本発明に係る有機電界発光表示装置の構造を示す構造図である。
【図２】図１における電源供給部を示す構造図である。
【図３】図２における電源供給部の動作を示すタイミング図である。
【発明を実施するための形態】
【００１５】
以下、本発明の実施形態を添付図面を参照して説明する。
図１は、本発明に係る有機電界発光表示装置の構造を示す構造図である。同図に示すように、有機電界発光表示装置は、画素部１００と、データ駆動部２００と、走査駆動部３００と、タイミング制御部４００と、電源供給部５００と、を備える。
【００１６】
画素部１００には、複数の画素１０１が配列され、各画素１０１は、電流の流れに対応して光を発光する有機発光ダイオード（図示せず）を備える。そして、画素部１００は、行方向に形成され、かつ、走査信号を伝達するｎ本の走査線Ｓ１，Ｓ２，…，Ｓｎ−１，Ｓｎと、列方向に形成され、かつ、データ信号を伝達するｍ本のデータ線Ｄ１，Ｄ２，…，Ｄｍ−１，Ｄｍとが配列される。
【００１７】
また、画素部１００は、電源供給部５００から第１電源ＥＬＶＤＤ及び第２電源ＥＬＶＳＳ（図示せず）を受けて駆動する。したがって、画素部１００は、走査信号、データ信号、第１電源ＥＬＶＤＤ及び第２電源ＥＬＶＳＳにより有機発光ダイオードに電流が流れて発光し、これにより、映像が表示される。
【００１８】
データ駆動部２００は、データ信号を生成する手段であり、赤色、青色、緑色の成分を有する映像信号を用いてデータ信号を生成する。また、データ駆動部２００は、画素部１００のデータ線Ｄ１，Ｄ２，…，Ｄｍ−１，Ｄｍに接続され、生成されたデータ信号を画素部１００に入力する。さらに、データ駆動部２００は、電源供給部５００から駆動電圧を受けて動作する。
【００１９】
走査駆動部３００は、走査信号を生成する手段であり、走査線Ｓ１，Ｓ２，…，Ｓｎ−１，Ｓｎに接続され、走査信号を画素部１００の特定の行に伝達する。走査信号が伝達された画素１０１には、データ駆動部２００から出力されたデータ信号が伝達され、データ信号に対応する電圧が画素１０１に伝達されるようになる。走査駆動部３００は、電源供給部５００から駆動電圧を受けて動作する。
【００２０】
タイミング制御部４００は、データ駆動部２００、走査駆動部３００、及び電源供給部５００の駆動を制御する。特に、タイミング制御部４００は、電源供給部５００にイネーブル信号ｅｎａｂｌｅを伝達し、電源供給部５００で出力電源を出力する時点を決定する。
【００２１】
電源供給部５００は、画素部１００、データ駆動部２００、走査駆動部３００、及びタイミング制御部４００に出力電源を駆動電源として伝達して駆動できるようにする。電源供給部５００は、タイミング制御部４００から伝達されるイネーブル信号ｅｎａｂｌｅと、入力電源Ｖｉｎの電圧とによって駆動されるが、駆動初期においては、入力電源によって駆動停止し、所定時間経過後には、イネーブル信号ｅｎａｂｌｅによって動作が決定される。したがって、電源供給部５００は、駆動初期において、タイミング制御部４００から出力されるイネーブル信号ｅｎａｂｌｅが電源供給部５００に到達する前に、入力電源によって動作が制御される。
【００２２】
図２は、図１における電源供給部を示す構造図である。同図に示すように、電源供給部５００は、入力電源Ｖｉｎを受けて出力電源を生成するパワーブロック５１０と、パワーブロック５１０に入力電源Ｖｉｎを伝達する入力電源部５２０と、入力電源部５２０を制御する制御部５３０とを備える。
【００２３】
パワーブロック５１０は、ＩＣチップの形態で構成され、入力端ＶＣＣを介して入力電源Ｖｉｎを受け、出力端ｏｕｔを介して出力電源を出力する動作を行う。また、パワーブロック５１０は、イネーブル端ＥＮを介して入力される信号によってパワーブロック５１０の動作の可否が決定される。パワーブロック５１０は、イネーブル端ＥＮを介して伝達される信号がハイ状態であれば動作を行い、ロー状態であれば駆動を停止する。
【００２４】
パワーブロック５１０の入力端ＶＣＣとイネーブル端ＥＮとは、入力電源部５２０に接続される。より具体的には、パワーブロック５１０の入力端ＶＣＣは第１ノードＮ１に接続され、イネーブル端ＥＮは第２ノードＮ２に接続される。
【００２５】
入力電源部５２０は、第１抵抗Ｒ１と、キャパシタＣとを備え、第１ノードＮ１に、入力電源Ｖｉｎと、キャパシタＣの第１電極及び第１抵抗Ｒ１の一端とが接続される。第２ノードＮ２には、第１抵抗Ｒ１の他端が接続される。
【００２６】
制御部５３０は、トランジスタＱ１と、第２抵抗Ｒ２とを備え、トランジスタＱ１の第１電極が第２ノードＮ２に接続される。また、トランジスタＱ１は、第２電極が第２抵抗Ｒ２の一端に接続され、ゲートにはタイミング制御部４００からの制御信号が伝達される。トランジスタＱ１の第１電極及び第２電極は、ソースまたはドレインと称することができる。また、一端がトランジスタＱ１の第２電極に接続されている第２抵抗Ｒ２は、他端が接地に接続される。
【００２７】
図３は、図２における電源供給部の動作を示すタイミング図である。同図に示すように、上記のように構成された電源供給部５００の動作を説明すると、駆動開始期間Ｔ１では、イネーブル信号ｅｎａｂｌｅが伝達されない。これにより、ＮＭＯＳタイプのトランジスタＱ１がオフ状態になる。また、入力電源Ｖｉｎは、キャパシタＣにより所定の電圧を維持し続けるようになり、入力端ＶＣＣには、入力電源Ｖｉｎの電圧が伝達される。また、イネーブル端ＥＮは、第１抵抗Ｒ１を介して入力電源Ｖｉｎが伝達される。このとき、イネーブル端ＥＮを介して伝達される入力電源Ｖｉｎは、パワーブロック５１０内の内部抵抗と第１抵抗Ｒ１との電圧分配により、第２ノードＮ２がパワーブロック５１０の動作を停止させるようにする低電圧を有する。
【００２８】
すなわち、イネーブル端ＥＮは、入力端ＶＣＣに入力電源Ｖｉｎが伝達されるのと同じ時点でロー状態の信号を受信する。したがって、タイミング制御部４００からイネーブル信号ｅｎａｂｌｅが出力される前にも、パワーブロック５１０を制御できるようになる。結果として、出力端ｏｕｔから出力される電圧の急激な変化を防止することができる。
【００２９】
また、タイミング制御部４００が電源を受けることによって動作を開始して電源供給部５００にロー状態の信号を伝達する期間Ｔ２では、イネーブル信号ｅｎａｂｌｅがロー状態を維持するため、トランジスタＱ１はオフ状態になる。したがって、Ｔ１期間と同じ動作を行い、出力端ｏｕｔからは出力電源が出力されなくなる。
【００３０】
その後、電源供給部５００の出力端ｏｕｔから出力電圧を出力する時点では、タイミング制御部４００は、電源供給部５００が駆動するように、ハイ状態のイネーブル信号ｅｎａｂｌｅを出力する。このとき、トランジスタＱ１はオン状態になる。トランジスタＱ１がオン状態になると、入力電源Ｖｉｎと接地との間に、第１抵抗Ｒ１と第２抵抗Ｒ２とが直列に接続された状態になり、これにより、第２ノードＮ２には、第１抵抗Ｒ１と第２抵抗Ｒ２とによって分配された電圧が伝達される。また、第１抵抗Ｒ１と第２抵抗Ｒ２との電圧比により、第２ノードＮ２にハイ状態の電圧が形成される。すなわち、イネーブル端ＥＮにハイ状態の信号が伝達される。
【００３１】
イネーブル端ＥＮにハイ状態の信号が伝達されると、出力端ｏｕｔを介して正常な出力電圧が出力され、電源供給部５００が予め定められた出力電圧を出力する。
【００３２】
以上説明したように、本発明の最も好ましい実施形態について説明したが、本発明は、上記記載に限定されるものではなく、特許請求の範囲に記載され、又は明細書に開示された発明の要旨に基づき、当業者において様々な変形や変更が可能なのはもちろんであり、斯かる変形や変更が、本発明の範囲に含まれることは言うまでもない。
【符号の説明】
【００３３】
１００・・・画素部
１０１・・・画素
２００・・・データ駆動部
３００・・・走査駆動部
４００・・・タイミング制御部
５００・・・電源供給部
５１０・・・パワーブロック
５２０・・・入力電源部
５３０・・・制御部
【図１】
2010205244.tif 000003
【図２】
2010205244.tif 000004
【図３】
2010205244.tif 000005